(57)【要約】      （修正有）【課題】安価で簡単に製造でき、フィルム等の品質の劣化の少ない巻芯を提供する。【解決手段】全外周面に粘着剤２を塗布し、さらにその表面に離型紙４を設けたフィルム巻取用巻芯１。また、離型紙に、切断容易部を設け、該離型紙の一部を容易に剥離でき、切断容易部はミシン目又は切り込みであって、該離型紙が紙管の長手方向に帯状に剥離できる形状である。【選択図】図３
2015006934.tif 000002
【特許請求の範囲】
【請求項１】
全外周面に粘着剤を塗布し、さらにその表面に離型紙を設けたことを特徴とするフィルム巻取用巻芯。
【請求項２】
該離型紙に、切断容易部を設け、該離型紙の一部を容易に剥離できる構造である請求項１記載のフィルム巻取用巻芯。
【請求項３】
該切断容易部はミシン目又は切り込みであって、該離型紙が紙管の長手方向に帯状に剥離できる形状である請求項１又は２記載のフィルム巻取用巻芯。
【請求項４】
該切断容易部は、切り込みであって、該切り込みの断面方向は紙管の直径方向よりも表面側にいくにつれて広がるように形成されているものである請求項１乃至３のいずれか１項に記載のフィルム巻取用巻芯。
【請求項５】
該離型紙は、２層以上である請求項２記載のフィルム巻取用巻芯。
【請求項６】
該切断容易部は、離型紙の表層側の方が切断容易部によって剥離できる幅が広くなるように設けたものである請求項５記載のフィルム巻取用巻芯。
【請求項７】
該切断容易部は、切り込みであって、該切り込みの断面方向は紙管の直径方向よりも表面側にいくにつれて広がるように形成されているものである請求項６記載のフィルム巻取用巻芯。
【請求項８】
紙テープを複数層スパイラルに巻き付け円筒状にすることによって製造する方法であって、紙テープ巻き付け工程に続く連続工程で、筒状体の表面に粘着剤を塗布し、さらにその次に離型紙を連続的に貼付することを特徴とするフィルム巻取用巻芯の製造方法。
【請求項９】
紙テープを複数層スパイラルに巻き付け円筒状にすることによって製造する方法であって、紙テープ巻き付け工程に続く連続工程で、粘着剤が予め塗布された離型紙を貼付することを特徴とするフィルム巻取用巻芯の製造方法。
【発明の詳細な説明】
【技術分野】
【０００１】
本発明は、フィルム巻取用巻芯及びその製造方法に関するものである。
【背景技術】
【０００２】
プラスチックフィルムや薄いシートを巻き取るため一般には紙管等でできた巻芯が使用されている。
【０００３】
フィルム等を巻き取るためには、巻取り開始時にフィルム等の先端が巻芯に固定されなければならない。このため、一般的には巻芯に両面接着テープを貼り、その接着テープにフィルムを固定して巻き取りを開始している。
【０００４】
両面接着テープを貼り、それに固着して薄いフィルムを巻き取ると、両面接着テープの厚みによって、その部分に段差が生じフィルムに型（ライン）が入りフィルムとしての品質が低下する。
【０００５】
また特許文献１に記載（先行技術として）のように、両面接着テープに代えて、帯状に粘着剤を塗布する方法も考案されている。この方法では、厚い両面接着テープを使用しないため大きな段差は解消されている。しかし、この方法でも、粘着剤と自身のフィルムの最初の部分との合計で段差となるため、やはりフィルムの品質の低下は免れない。
【先行技術文献】
【特許文献】
【０００６】
【特許文献１】特開２００５−１６２４６８号公報
【発明の概要】
【発明が解決しようとする課題】
【０００７】
そこで、安価で簡単に製造でき、フィルム等の品質の劣化の少ない巻芯を提供する。
【課題を解決するための手段】
【０００８】
以上のような状況に鑑み、本発明者は鋭意研究の結果本発明フィルム巻取用巻芯及びその製造方法を完成したものであり、その特徴とするところは、巻芯にあっては全外周面に粘着剤を塗布し、さらにその表面に離型紙を設けた点にあり、製造方法にあっては、紙テープを複数層スパイラルに巻き付け円筒状にすることによって製造する方法であって、紙テープ巻き付け工程に続く連続工程で粘着剤を塗布し、さらにその次に離型紙を連続的に貼付する点にあり、他の態様では、紙テープを複数層スパイラルに巻き付け円筒状にすることによって製造する方法であって、紙テープ巻き付け工程に続く連続工程で、粘着剤が予め塗布された離型紙を貼付する点にある。
【０００９】
ここでフィルムとは、薄い膜状のものであればなんでもよい（一般的には厚み１００μｍ以下、通常は５０μｍ以下のものを言うが、それに限定するものでなく、巻き取れるものであればどのようなものでもよい）。例えば、食べ物を包むラップのようなものや、保護カバーフィルム等である。勿論、プラスチックだけでなく紙、不織布、その他どのようなものでもよい。
【００１０】
この巻芯の外周面全体に粘着剤を塗布する。粘着剤としては、どのようなものでもよくゴム系、アクリル系等どのようなものでもよい。しかし、粘着性が一定時間（少なくとも塗布した後、フィルムを巻き取るまでの間。少なくとも数ヶ月）持続しなければならない。接着剤のように一定時間で固化するものは使用できない。
【００１１】
この粘着剤の塗布方法はどのような方法でもよい。紙をスパイラルに積層し製造する場合、最後の工程で粘着剤のローラーを表面に接して塗布する方法、巻芯完成後、別の工程で塗布又は噴霧する方法等自由である。更に、転写方式で塗布してもよい。例えば、シリコン処理した紙に粘着剤を塗布した転写シートを巻芯に貼り、紙を剥がせば、粘着剤が巻芯に残るという方法である。
【００１２】
この粘着剤によって、巻取り開始時にフィルムが固着されるのである。よって、塗布厚みや粘着力の強さ等はその用途に従って決めればよい。
【００１３】
この粘着剤の全表面に離型紙を貼付する。これは、取り扱いの問題からである。表面に粘性があれば種々のものが固着され汚れるだけでなく、水分等で粘着力が低下したりするためである。離型紙はどのようなものでもよく、粘着剤が巻芯側に残るように剥離できるものであればよい。紙だけでなくプラスチック製のフィルムやシートでもよい。通常はシリコンやフッ素が塗布されたものである。勿論、使用時には、この離型紙を剥離するのである。
【００１４】
離型紙の貼付方法は、粘着剤を巻芯の製造の最終工程に置く場合、さらにその後の工程で連続的に貼付してもよい。勿論、別途貼付してもよい。貼る方法は、スパイラル紙管の製造時のようにスパイラルに貼付しても、平行に貼付してもよい。
【００１５】
離型紙を全面剥離してフィルム巻取りを開始すれば、どの部分からも巻取りが開始でき、かつ段差が２重にならない。例えば、図５に特許文献１のように、紙管９０の表面に部分的に粘着剤９１を塗布した場合（塗布厚みは通常３０〜５０μｍ）を示す。フィルム９２（厚みが５０μｍとする）が１周し、自身に重なるときに、粘着剤層９１と自身９２の２つの段差が生じている。しかし、図６の場合、自身の厚みのみであり段差が少ない。
【００１６】
さらに、この離型紙に、切断容易部を設け、離型紙をすべて剥離するのではなく、一部のみ剥離するようにしてもよい。これは、巻芯にできるだけ段差を生じないようにするためである。剥離する離型紙の形状は通常は帯状であり、巻芯の長手方向に長く伸びた長方形である。
【００１７】
切断容易部は、ミシン目、切り込み、ハーフカットその他の処理を施した部分である。ミシン目は完全にカットされていないので、予めミシン目を入れた離型紙を貼ってもよい。完全にカットするものの場合は貼付した後、ローラーのようなカッターで切り込みを入れる。
【００１８】
切断容易部の設け方、即ち、どのような場所、方向に切断容易部を設けるかは基本的には自由である。しかし、巻芯の長手方向に帯状に剥離できるようにするのが好ましい。
【００１９】
さらに、この切断容易部を設けるときの、裁断方向が垂直ではなく、剥離する離型紙が、断面逆台形状になるように（切り込みの断面方向が巻芯の直径方向よりも、表面側にいくにつれて広がるように）裁断してもよい。これによって、巻芯表面の段差をより小さくする。
【００２０】
また、離型紙を二層にし、その二層を前段のように断面逆台形状になるように裁断すればより、段差が小さくなる。このときには、二層の表面側にのみ切り込みを入れる必要がある。
【００２１】
本発明の巻芯において、粘着剤を塗布する前に、クッションシートを貼付しておいてもよい。クッションシートは、発泡紙や発泡プラスチックシートでよく、厚みとしては限定はしないが５０μｍ〜２ｍｍ程度である。このクッションシートを設けると、フィルム等を巻き取ったときに、段差の部分に圧がかかりクッションシートが凹み段差が解消される。
【００２２】
本発明製造方法では、フィルム巻き取り開始時の固着用の粘着剤を、紙管製造の紙テープのスパイラル巻きに続き、連続的に回転塗布するものであり、従来の方法ではありえない方法である。従来は特許文献１のように、帯状に塗布するため、スパイラル状に連続的に塗布することは不可能である。
【００２３】
さらに、その上に離型紙も連続的に貼付する。これも従来は帯状であるためスパイラルに貼付することはできなかった・
【００２４】
また別の方法として、予め粘着剤が塗布された離型紙をスパイラルに、連続的に貼付する方法がある。これは、前記方法に比べて粘着剤の塗布工程が不要であるためより簡単である。
【発明の効果】
【００２５】
本発明には次のような効果がある。
（１）  粘着剤が全周にわたって塗布されているため、フィルムの巻き始めにできる段差が少ない。
（２）  粘着剤を全周（全面）に塗布しているため、紙管の最表面のスパイラルテープ同士の突合せ部分の溝（突合せであってもわずかな隙間が生じる）に、巻き取るフィルムが入り込むことが少ない。これは、全面で粘着固定されていることと、溝が粘着剤で埋められているためである。
（３）  離型紙を部分的に剥離すると、生じる段差がより少なくなる。
（４）  本発明巻芯は複数回使用できる。
（５）  本発明製造方法では、接着剤の塗布や離型紙の貼付等を巻芯の製造工程の後ろに組み込んでいるため、時間的にも費用的にも、通常のスパイラル紙管製造と大差はない。
（６）  予め粘着剤が塗布された離型紙を貼付する方法では、簡単に製造でき非常に便利である。
（７）  貼付する離型紙の厚みを巻き取るフィルムの厚みによって、調整すれば、より段差が小さくなる。
【図面の簡単な説明】
【００２６】
【図１】本発明巻芯の１例を示す斜視図である。
【図２】本発明巻芯の１例を示す斜視図（断面部分は省略）である。
【図３】図２の巻芯の離型紙４の帯状部６のみを剥離し、その部分に露出された粘着剤２にフィルム３を巻取り始めたところの断面図である。
【図４】巻芯１に粘着剤２を塗布し、その上に離型紙４を貼付したところの部分断面図である。
【図５】従来の巻芯を示す部分断面図である。
【図６】本発明の例を示す部分断面図である。
【００２７】
以下図面に示す実施例に基づいて、本発明をより詳細に説明する。
【実施例１】
【００２８】
図１は、本発明巻芯（ここでは紙管）１の１例を示す斜視図である（厚みは部分的に誇張している。以下同様）。表面全体に粘着剤２が塗布され、今プラスチックフィルム３が巻取り開始したところである。すでに全面に貼付されていた離型紙は剥離されている。
【００２９】
図２は、全面に粘着剤を塗布し、その上に離型紙を貼付した巻芯の１例を示す斜視図（断面部分は省略）である。離型紙４には、切断容易部としての切り込み５が設けられている。ハーフカットではなく離型紙が完全に切断されている。よって、この帯状部６のみ簡単に剥離できる。
【００３０】
図３は、図２の巻芯の離型紙４の帯状部６のみを剥離し、その部分に露出された粘着剤２にフィルム３を巻取り始めたところの断面図である。フィルム３の先端部が離型紙４の剥離された溝状のところに固着されそこから１周回って再度自身に重なる部分である。どの箇所をとっても、段差が非常に少なく、図５のような２重段になっているところはない。
段差によるフィルムへの型付（ラインが入る）は、フィルムの１層に入るのではなく、フィルムが薄いため、何層にも入るため品質劣化の量は多いのである。この図３のようにするとそれがほとんどない。
【００３１】
この図でわかるように、離型紙４とフィルム３が同じ程度の厚みなら、生じる段差が小さいことがわかる。
【００３２】
図４は、紙管１に粘着剤２を塗布しその上に他の離型紙４を貼付したところの部分断面図である。この離型紙４の切断容易部は、その離型紙４の断面図から明らかなように、上方に開いた形で裁断（ミシン目でも同様）されている。これが「切り込みの断面方向は紙管の直径方向よりも表面側にいくにつれて広がるように形成され」の意味である。
【００３３】
この図４に示す離型紙４を用いれば、残る離型紙４の厚みは同じでも、段差が滑らかになり、フィルムへのダメージがほとんどない。この切断容易部の形成方法は、カッター等の刃の方向を少し傾けるだけでよく手間も費用もほとんど変わらない。
【符号の説明】
【００３４】
１  巻芯（紙管）
２  粘着剤
３  フィルム
４  離型紙
５  切断容易部
６  帯状部
９０  巻芯（紙管）
９１  粘着剤
９２  フィルム
【図１】
2015006934.tif 000003
【図２】
2015006934.tif 000004
【図３】
2015006934.tif 000005
【図４】
2015006934.tif 000006
【図５】
2015006934.tif 000007
【図６】
2015006934.tif 000008